(57)【要約】      （修正有）【課題】梱包される電気機器の筐体に衝撃による変形等が生じにくい梱包装置を提供する。【解決手段】梱包装置１０は、パン生地製造装置１が収納される段ボール製の梱包箱２０と、パン生地製造装置と梱包箱との間に介在し、衝撃を緩和する段ボール製の緩衝ユニット３０と、を備える。緩衝ユニットは、パン生地製造装置の前後の側面を覆う前後一対の側面板５００、６００と、左右の側面を覆う左右一対の側面板３００、４００の二組の一対の側面板を含む。前後一対の側面板は、パン生地製造装置の前後の側面と対向する第１部位５１０、６１０と、第１部位に対して直角に折り曲げられ、パン生地製造装置の底面の下に入れられる第２部位５２０、６２０と、第２部位の先端部に形成され、パン生地製造装置の脚部に嵌り込む切欠き部５２１、６２１と、を有する。【選択図】図２
0003194660.tif 000002
【実用新案登録請求の範囲】
【請求項１】
筒状の胴部と当該胴部の天面および底面をそれぞれ覆う天面板および底面板とで構成される筐体を備え前記底面板に当該筐体を支える脚部が設けられた電気機器が梱包される梱包装置であって、
前記電気機器が収納される段ボール製の梱包箱と、
前記電気機器と前記梱包箱との間に介在し、前記梱包箱に梱包された前記電気機器に加わる衝撃を緩和する段ボール製の緩衝ユニットと、を備え、
前記緩衝ユニットは、前記筺体の前後の側面を覆う前後一対の側面板と前記筐体の左右の側面を覆う左右一対の側面板の二組の一対の側面板を含み、
少なくとも一組の一対の側面板は、
前記筺体の側面と対向する第１の部位と、
前記第１の部位に対して直角に折り曲げられ、前記筺体の底面の下に入れられる第２の部位と、
前記第２の部位の先端部に形成され、前記第２の部位が前記筺体の底面の下に入れられたときに前記脚部に嵌り込む切欠き部と、を有する、
ことを特徴とする梱包措置。
【請求項２】
請求項１に記載の梱包装置において、
前記切欠き部は、上下方向に貫通するネジで前記底面板に固定される前記脚部に嵌め込まれる、
ことを特徴とする梱包装置。
【請求項３】
請求項１または２に記載の梱包装置において、
前記電気機器は、前記天面板が所定の高さを有し前記胴部より強度の高く、
前記緩衝ユニットは、前記天面板の上部が通る開口部を有し、前記天面板の途中の高さ位置まで前記天面板に被せられる上面板を含み、
前記少なくとも一組の一対の側面板は、その上部が前記上面板の外縁に当接する、
ことを特徴とする梱包装置。
【考案の詳細な説明】
【技術分野】
【０００１】
本考案は、小麦粉、水等の生地材料を混練して生地を形成する生地製造装置などの電気機器が梱包される梱包装置に関する。
【背景技術】
【０００２】
従来、パン生地製造装置などの電気機器は、梱包装置で梱包されて出荷される。梱包装置は、段ボール製の梱包箱と、梱包箱と内部の電気機器との間に介在される緩衝部材とで構成される。緩衝部材により、輸送中などに外部から加わる衝撃が吸収される。
【０００３】
近年では、梱包装置に用いられる緩衝部材が、梱包箱と同様に、段ボール材によって形成される場合が多い（特許文献１参照）。
【先行技術文献】
【特許文献】
【０００４】
【特許文献１】特開２００４−３４５６７５号公報
【考案の概要】
【考案が解決しようとする課題】
【０００５】
梱包箱に加わる衝撃は、緩衝部材によって弱められるものの、電気機器の筐体には、緩衝部材を受ける部分に幾分かの力が加わる。筐体は、たとえば、筒状の胴部と、胴部の天面開口を覆う天面板と、胴部の底面開口を覆う底面板とで構成され得る。この場合、天面板は、樹脂成形によって形成されることが多く、比較的大きな強度を有するが、胴部は薄い鋼板で形成されることが多く、天面板に比べて強度が低い。よって、梱包装置が、筐体の側面を覆う緩衝部材に作用する力を胴部で受けるような構成された場合には、衝撃による胴部の変形等が懸念される。
【０００６】
本考案は、かかる課題に鑑みてなされたものであり、梱包される電気機器の筐体に衝撃による変形等が生じにくい梱包装置を提供することを目的とする。
【課題を解決するための手段】
【０００７】
本考案の主たる態様は、筒状の胴部と当該胴部の天面および底面をそれぞれ覆う天面板および底面板とで構成される筐体を備え前記底面板に当該筐体を支える脚部が設けられた電気機器が梱包される梱包装置に関する。本態様に係る梱包装置は、前記電気機器が収納される段ボール製の梱包箱と、前記電気機器と前記梱包箱との間に介在し、前記梱包箱に梱包された前記電気機器に加わる衝撃を緩和する段ボール製の緩衝ユニットと、を備える。ここで、前記緩衝ユニットは、前記筺体の前後の側面を覆う前後一対の側面板と前記筐体の左右の側面を覆う左右一対の側面板の二組の一対の側面板を含む。少なくとも一組の一対の側面板は、前記筺体の側面と対向する第１の部位と、前記第１の部位に対して直角に折り曲げられ、前記筺体の底面の下に入れられる第２の部位と、前記第２の部位の先端部に形成され、前記第２の部位が前記筺体の底面の下に入れられたときに前記脚部に嵌り込む切欠き部と、を有する。
【０００８】
上記の構成によれば、外部からの衝撃により一対の側面板に作用する力を、電気機器の下側において、脚部で受けることができる。したがって、外部からの衝撃に基づく力が、電気機器において比較的強度の低い胴部に掛かることを防止できるので、胴部の変形等を防止することができる。
【０００９】
本態様に係る梱包装置において、前記切欠き部は、上下方向に貫通するネジで前記底面板に固定される前記脚部に嵌め込まれる構成とされ得る。
【００１０】
上記の構成によれば、切欠き部が、ネジで強化された脚部に嵌め込まれるので、外部からの衝撃により一対の側面板に作用する力によって、脚部が変形しにくい。
【００１１】
本態様に係る梱包装置において、前記電気機器は、前記天面板が所定の高さを有し前記胴部より強度の高く、前記緩衝ユニットは、前記天面板の上部が通る開口部を有し、前記天面板の途中の高さ位置まで前記天面板に被せられる上面板を含み、前記少なくとも一組の一対の側面板は、その上部が前記上面板の外縁に当接するような構成が採られ得る。
【００１２】
上記の構成によれば、外部からの衝撃により一対の側面板に作用する力を、電気機器の上側において、上面板を介して天面板で受けることができる。したがって、外部からの衝撃に基づく力による胴部の変形等を一層防止することができる。
【考案の効果】
【００１３】
本考案によれば、梱包される電気機器の筐体に衝撃による変形等が生じにくい梱包装置を提供することができる。
【００１４】
本考案の効果ないし意義は、以下に示す実施形態の説明によりさらに明らかとなろう。ただし、以下の実施形態は、あくまでも、本考案を実施化する際の一つの例示であって、本考案は、以下の実施形態に記載されたものに何ら制限されるものではない。
【図面の簡単な説明】
【００１５】
【図１】実施の形態に係る、パン生地製造装置の構成を示す図である。
【図２】実施の形態に係る、梱包装置の構成を示す図である。
【図３】実施の形態に係る、パン生地製造装置が、梱包装置に梱包される手順を示す図である。
【図４】実施の形態に係る、前側面板および後側面板が、それぞれ、パン生地製造装置の前側および後側に装着された状態の前側の脚部および後側の脚部の周辺の断面図である。
【考案を実施するための形態】
【００１６】
以下、本考案の梱包装置の一実施形態であるパン生地製造装置が梱包される梱包装置について、図面を参照して説明する。
【００１７】
まず、パン生地製造装置１の概略構成について説明する。
【００１８】
図１は、パン生地製造装置１の構成を示す図である。図１（ａ）は、パン生地製造装置１の外観斜視図であり、図１（ｂ）は、脚部５の周辺の断面図である。
【００１９】
パン生地製造装置１は、筐体２と、筐体２内に設置される収容槽３と、収容槽３内に装着される混錬容器４とを備え、混錬容器４内に配された混錬羽根（図示せず）を回転させることにより、混錬容器４内に収容された、小麦粉、水等の生地材料を混錬し、パン生地を形成する。
【００２０】
筐体２は、胴部２ａと、天面板２ｂと、底面板２ｃとで構成される。胴部２ａは、鋼板により筒状に形成されており、上面および底面が開放されている。天面板２ｂは、樹脂により形成され、胴部２ａの上面に装着され、上面を覆う。天面板２ｂは、上下方向に所定の厚み（高さ）を有し、その上面は前部がなだらかに下り傾斜し、その側面には上側より下側がわずかに拡がるようテーパーがつけられている。底面板２ｃは、鋼板により形成され、胴部２ａの底面に装着されて、底面を覆う。筐体２の底面の四隅、即ち底面板２ｃの四隅には、筐体２を支える脚部５が設けられている。脚部５は、設置面に接触する、径が大きな足先部５ａと、足先部５ａより径が小さな足首部５ｂとを有する。脚部５には、脚部５を上下方向に貫通する貫通孔５ｃが形成されている。底面板２ｃには、脚部５を固定するためのネジ孔２ｄが四隅に形成されている。貫通孔５ｃを通されたネジ６がネジ孔２ｄに止められることにより、脚部５が底面板２ｃに固定される。
【００２１】
次に、パン生地製造装置１が梱包される梱包装置１０について説明する。
【００２２】
図２は、梱包装置１０の構成を示す図である。図２（ａ）は、緩衝ユニット３０が装着されたパン生地製造装置１が梱包箱２０に収納される直前の様子を示す斜視図である。図２（ｂ）は、緩衝ユニット３０の構成を示す展開図である。
【００２３】
図２（ａ）に示すように、梱包装置１０は、梱包箱２０と、緩衝ユニット３０とを含む。梱包箱２０は、直方体形状の段ボール製の箱であり、パン生地製造装置１を収容する。梱包箱２０は、上面が開口する箱本体２１と、上面の開口を塞ぐ両開きの蓋体２２とで構成されている。
【００２４】
緩衝ユニット３０は、梱包箱２０と同じく段ボール製であり、梱包箱２０に収容されたパン生地製造装置１を衝撃から保護するため、パン生地製造装置１を囲うように、パン生地製造装置１の外側に装着されている。
【００２５】
図２（ｂ）に示すように、緩衝ユニット３０は、上面板１００と、底面板２００と、左側面板３００と、右側面板４００と、前側面板５００と、後側面板６００とで構成されている。
【００２６】
上面板１００は、方形状に形成され、パン生地製造装置１の天面のサイズより少し大きなサイズを有する。上面板１００には、天面板２ｂが途中の高さ位置まで通される開口部１０１が形成されている。
【００２７】
底面板２００、左側面板３００および右側面板４００は、一つの段ボール材によって一体的に形成されている。底面板２００は、方形状に形成され、パン生地製造装置１の天面のサイズより少し大きなサイズを有する。底面板２００と左側面板３００との境界部２０１および底面板２００と右側面板４００との境界部２０２には、底面板２００に対して左側面板３００および右側面板４００を折り曲げやすいように、切込み線が入れられている。
【００２８】
左側面板３００は、方形状に形成され、第１部位３１０と、第１部位３１０に続く第２部位３２０と、第２部位３２０に続く第３部位３３０とを含む。第１部位３１０と第２部位３２０との境界部３１１には、第１部位３１０に対して第２部位３２０を折り曲げやすいように、切込み線が入れられている。また、第２部位３２０と第３部位３３０との境界部３２１には、第２部位３２０に対して第３部位３３０を折り曲げやすいように、切込み線が入れられている。
【００２９】
第３部位３３０の左縁には、パン生地製造装置１の筐体２から上方に突き出した混錬容器４を避けるために、長方形の切欠き部３３１が形成されている。さらに、第３部位３３０には、その前縁および後縁をわずかに内側に後退させることにより、前側面板５００の上部および後側面板６００の上部を当接させる当たり部３３２が形成されている。
【００３０】
右側面板４００の構成は、左側面板３００の構成と同様である。即ち、右側面板４００は、方形状に形成され、第１部位４１０と、第２部位４２０と、第３部位４３０とを含み、第１部位４１０と第２部位４２０との境界部４１１、および、第２部位４２０と第３部位４３０との境界部４２１に、切込み線が入れられている。さらに、第３部位４３０には、切欠き部４３１および当たり部４３２が形成されている。
【００３１】
前側面板５００は、方形状に形成され、第１部位５１０と、第１部位５１０に続く第２部位５２０とを含む。第１部位５１０と第２部位５２０との境界部５１１には、第１部位５１０に対して第２部位５２０を折り曲げやすいように、切込み線が入れられている。第２部位５２０の後縁には、パン生地製造装置１の前側の２つの脚部５にそれぞれが嵌め込まれる２つの切欠き部５２１が形成されている。切欠き部５２１は、内側の端部が半円形状であり、幅が脚部５の足首部５ｂの径とほぼ等しくされている。
【００３２】
後側面板６００の構成は、前側面板５００の構成と同様である。即ち、後側面板６００は、方形状に形成され、第１部位６１０と、第１部位６１０に続く第２部位６２０とを含み、第１部位６１０と第２部位６２０との境界部６１１には、切込み線が入れられている。第２部位６２０の前縁には、パン生地製造装置１の後側の２つの脚部５にそれぞれが嵌め込まれる２つの切欠き部６２１が形成されている。
【００３３】
図３は、パン生地製造装置１が、梱包装置１０に梱包される手順を示す図である。図４は、前側面板５００および後側面板６００が、それぞれ、パン生地製造装置１の前側および後側に装着された状態の前側の脚部５および後側の脚部５の周辺の断面図である。
【００３４】
図３（ａ）ないし（ｃ）に示すように、最初に、パン生地製造装置１を緩衝ユニット３０で覆う。まず、図３（ａ）に示すように、底面板２００の上にパン生地製造装置１を置き、パン生地製造装置１の天面板２ｂに上面板１００を上方から被せる。上面板１００は、天面板２ｂの途中の高さ位置で開口部１０１の内縁が天面板２ｂに引っ掛かって止まる。
【００３５】
次に、図３（ｂ）に示すように、左側面板３００および右側面板４００を、直角に折り曲げてパン生地製造装置１（筐体２）の左右の側面に沿うように立ち上げる。パン生地製造装置１の左右の側面が、第１部位３１０、４１０により覆われる。左側面板３００および右側面板４００が直角に折り曲げられると、第１部位３１０の上部が上面板１００の左縁１０２に当接し、第１部位４１０の上部が上面板１００の右縁１０３に当接する。
【００３６】
次に、第２部位３２０、４２０を内側に直角に折り曲げ、さらに第３部位３３０、４３０を下側に直角に折り曲げ、第３部位３３０、４３０の下端を天面板２ｂに当接させる。パン生地製造装置１の混錬容器４が切欠き部３３１、４３１の中に納まる。パン生地製造装置１の上方の左側に、左側面板３００の第１部位３１０の上端部と第２部位３２０と第３部位３３０とでコ字状の緩衝部材が構成されるとともに、右側に右側面板４００の第１部位４１０の上端部と第２部位４２０と第３部位４３０とでコ字状の緩衝部材が構成される。
【００３７】
次に、図３（ｂ）および（ｃ）に示すように、前側面板５００および後側面板６００を、パン生地製造装置１の前面側および後面側に装着する。この際、前側面板５００では、第２部位５２０が第１部位５１０に対して直角に折り曲げられる。折り曲げられた第２部位５２０は、パン生地製造装置１の底面（底面板２ｃ）の下に挿入される。図４（ａ）に示すように、第２部位５２０の２つの切欠き部５２１が、パン生地製造装置１の前側の２つの脚部５の足首部５ｂに嵌め込まれる。パン生地製造装置１の前面が、第１部位５１０により覆われる。第１部位５１０の上部が上面板１００の前縁１０４および当たり部３３２、４３２に当接し、第２部位５２０の切欠き部５２１の内側の端部が脚部５の足首部５ｂに当接する。
【００３８】
同様に、後側面板６００では、第２部位６２０が第１部位６１０に対して直角に折り曲げられる。折り曲げられた第２部位６２０は、パン生地製造装置１の底面（底面板２ｃ）の下に挿入される。図４（ｂ）に示すように、第２部位６２０の２つの切欠き部６２１が、パン生地製造装置１の後側の２つの脚部５の足首部５ｂに嵌め込まれる。パン生地製造装置１の後面が、第１部位６１０により覆われる。第１部位６１０の上部が上面板１００の後縁１０５および当たり部３３２、４３２に当接し、第２部位６２０の切欠き部６２１の内側の端部が脚部５の足首部５ｂに当接する。
【００３９】
このようにして、パン生地製造装置１の外側に緩衝ユニット３０が装着される。
【００４０】
最後に、図３（ｄ）に示すように、緩衝ユニット３０が装着されたパン生地製造装置１を梱包箱２０に収納し、左右の蓋体２２を閉じて、これら蓋体２２を、開放しないように固定する。こうして、梱包装置１０へのパン生地製造装置１の梱包が完了する。
【００４１】
さて、パン生地製造装置１が梱包された梱包装置１０には、輸送時などに外部から衝撃が加わり得る。外部からの衝撃は、緩衝ユニット３０により緩和されるため、パン生地製造装置１が保護される。
【００４２】
しかしながら、外部から衝撃が加わった場合、幾らかの力は、緩衝ユニット３０を介して、パン生地製造装置１における緩衝ユニット３０に接触する部位に伝わる。
【００４３】
本実施の形態では、前側面板５００および後側面板６００の第２部位５２０、６２０が切欠き部５２１、６２１によって脚部５に連結される構成とされている（図４参照）。このため、外部からの衝撃により前側面板５００および後側面板６００に作用する力を、パン生地製造装置１の下側においては、脚部５で受けることができる。また、前側面板５００および後側面板６００の第１部位５１０、６１０の上部が、それぞれ、上面板１００の前縁１０４および後縁１０５に当接する構成とされている。このため、外部からの衝撃により前側面板５００および後側面板６００に作用する力を、パン生地製造装置１の上側においては、上面板１００を介して天面板２ｂで受けることができる。
【００４４】
したがって、外部からの衝撃に基づく力が、パン生地製造装置１において比較的強度の低い胴部２ａに掛かることを防止できるので、胴部２ａの変形等を防止することができる。
【００４５】
さらに、第２部位５２０、６２０の切欠き部５２１、６２１は、内部にネジ６が通され、ネジ６で強化された脚部５に嵌め込まれるので、外部からの衝撃により前側面板５００および後側面板６００に作用する力によって、脚部５が変形しにくい。
【００４６】
以上、本考案の実施の形態について説明したが、本考案は、上記実施の形態等によって何ら制限されるものではなく、また、本考案の実施の形態も、上記以外に種々の変更が可能である。
【００４７】
たとえば、上記実施の形態では、脚部５に嵌め込まれる切欠き部５２１、６２１を有する第２部位５２０、６２０が、前側面板５００および後側面板６００に設けられている。しかしながら、切欠き部を有する部位が、第４部位として、左側面板３００および右側面板４００に設けられてもよい。この場合、前側面板５００および後側面板６００は、上記実施の形態と同じ構成でもよいし、第２部位５２０、６２０が設けられず、底面板２００と一つの段ボール材で一体形成される構成でもよい。
【００４８】
さらに、本考案は、パン生地製造装置の他、電気炊飯器など、各種の電気機器を梱包するための梱包装置に適用できる。
【００４９】
この他、本考案の実施の形態は、実用新案登録請求の範囲に示された技術的思想の範囲内において、適宜、種々の変更が可能である。
【符号の説明】
【００５０】
１  パン生地製造装置（電気機器）
２  筐体
２ａ  胴部
２ｂ  天面板
２ｃ  底面板
５  脚部
６  ネジ
１０  梱包装置
２０  梱包箱
３０  緩衝ユニット
１００  上面板
１０１  開口部
１０４  前縁（外縁）
１０５  後縁（外縁）
５００  前側面板
５１０  第１部位（第１の部位）
５２０  第２部位（第２の部位）
５２１  切欠き部
６００  後側面板
６１０  第１部位（第１の部位）
６２０  第２部位（第２の部位）
６２１  切欠き部
【図１】
0003194660.tif 000003
【図２】
0003194660.tif 000004
【図３】
0003194660.tif 000005
【図４】
0003194660.tif 000006